(57)【要約】【課題】  主としてコップの取り扱いが困難な乳幼児、障害者、老人などが使用しても安定して自立し、不用意な動作でも転倒しにくい構造のコップを提供する。【解決手段】  液状物を収容できるコップ本体２と、このコップ本体２に設けられた一対の取っ手３ａ，３ｂと、コップ本体を支持する台座部５とを有し、この取っ手３ａ，３ｂの下端部４ａ，４ｂがコップ台座の下部にまで達してコップ載置面に接する位置にあり、前記台座部５と共にコップ本体２を支持する構成のコップとした。【選択図】図１
0003134475.tif 000002
【実用新案登録請求の範囲】
【請求項１】
液状物を収容するコップ本体と、このコップ本体に設けられた一対の取っ手とを少なくとも有し、この取っ手の下端部がコップ載置面に接する位置にあるコップ。
【請求項２】
前記取っ手下端部とコップ台座部とでコップを支持している請求項１のコップ。
【請求項３】
前記取っ手下端部は台座部と一体になっている請求項１または２のコップ。
【請求項４】
前記台座部は少なくとも取っ手が伸びる方向とは異なる方向に突出または広がっている請求項１〜３のいずれかのコップ。
【考案の詳細な説明】
【技術分野】
【０００１】
本考案は、主としてコップの取り扱いが困難な乳幼児、障害者、老人などでも安定して自立し、不用意な動作でも転倒しにくい構造のコップに関するものである。
【背景技術】
【０００２】
コップの取り扱いが困難な乳幼児、障害者、老人などに適した構造のコップは、従来より種々提案されている。例えば幼児がコップを転倒させるのを防ぐための構造として、特開平８−７０９７５号公報に記載されているような子供用吸盤付きコースターがある。
【０００３】
しかし、このような吸盤付きコースターは、使用の都度吸盤を引き剥がすという動作を伴うが、この吸盤を引き剥がすのに相当な力を必要とし、しかも引き剥がしたときに勢い余って内容物がこぼれてしまうなど、使い勝手が著しく悪いという問題があった。
【０００４】
また、特開２００６−３１４７３９公報には、取っ手のあるコップ等の転倒を防ぐコップホルダーを、低コストで提供することを目的として、コップを設置する円筒部（１）に切れ込み（２）をもうけ、それにあわせてコップの取っ手を差し込むことによりコップを設置しやすくし、また、底面部（３）を広い面積にすることにより、コップが横からの力を受けても底面部（３）が支えとなり、コップの転倒を防ぐことを特徴とするコップホルダーが開示されている。
しかし、この文献のコップホルダーは、底面部（３）を広い面積にしただけなので、安定性の面で問題があり、特に不足の動作をする乳幼児による転倒防止には不十分であった。また、このようなコップホルダーは従来のコップを対象としているため、乳幼児や障害者などにとって必ずしも持ちやすい構造ではなく、取り扱いの面でも問題があった。
【０００５】
また、乳幼児用として特開２００５−２６３２４９号公報に記載されているようなホルダーコースターもあるが、上記同様の問題があった。
【０００６】
【特許文献１】特開平８−７０９７５号公報
【特許文献１】特開２００６−３１４７３９号公報
【特許文献１】特開２００５−２６３２４９号公報
【考案の開示】
【考案が解決しようとする課題】
【０００７】
この出願の考案の目的は、主としてコップの取り扱いが困難な乳幼児、障害者、老人などが使用しても安定して自立し、不用意な動作でも転倒しにくい構造のコップを提供することである。
【課題を解決するための手段】
【０００８】
コップに備えられている取っ手の下部を延伸し、この取っ手下端部がコップ本体の底部と概ね同位置にまで達してコップ載置面に接することでコップを支持することができ、コップの安定性が大幅に向上する。しかも、吸盤などで固定されていないため持ち上げる時に余計な力を入れる必要もなく、不用意にコップに力が加えられたとしても、コップは載置面を滑るように移動して衝撃を吸収することができる。
すなわち、上記目的は下記の本考案の構成により達成される。
【０００９】
（１）液状物を収容するコップ本体と、このコップ本体に設けられた一対の取っ手とを少なくとも有し、この取っ手の下端部がコップ載置面に接する位置にあるコップ。
（２）前記取っ手下端部とコップ台座部とでコップを支持している上記（１）のコップ。
（３）前記取っ手下端部は台座部と一体になっている上記（１）または（２）のコップ。
（４）前記台座部は少なくとも取っ手が伸びる方向とは異なる方向に突出または広がっている上記（１）〜（３）のいずれかのコップ。
【考案の効果】
【００１０】
本考案のコップは、コップ本体に設けられた一対の取っ手の下端部がコップ本体の底部と概ね同位置にまで達してコップ載置面に接することでコップの安定性を向上させたので、簡単な構造でコップの取り扱いが困難な乳幼児、障害者、老人などが使用しても安定して自立し、不用意な動作でも転倒しにくいコップを提供することができる。
【００１１】
また、取っ手が２つあり、持ちやすい構造のためコップの取り扱いが困難な乳幼児、障害者、老人などでも容易に取り扱うことができる。また、取っ手が２つ有るということは、いずれかの取っ手を片手で掴んだり、双方を両手で掴んで保持することができ、持ち方の自由度が増えて使い勝手が向上する。
【考案を実施するための最良の形態】
【００１２】
本考案のコップは、液状物を収容可能な断面Ｕ字状ないしＶ字状、あるいはこれを変形した形状で上部が開口したコップ本体と、コップ本体下部に形成された台座部と、コップ本体横に設けられた一対の取っ手とを有する。コップ本体は、従来から知られるコップ状、カップ状の形状であれば特に限定されるものではない。すなわち、断面Ｕ字状ないしＶ字状、あるいはこれを変形した形状で上部が開口し、下部が閉じていて液状物を収容することができる形状であればよい。また、コップ本体には、内容物がこぼれるのを防止するための蓋や、乳幼児、障害者、老人などが飲みやすくするため外部に突出した飲み口などを設けてもよい。
【００１３】
コップ本体下部には台座部が形成されている。この台座部は、コップの安定性を高め、コップが転倒し難くする機能を有する。このため、コップ本体底部より幅広ないし大きくなっていることが望ましい。その形状は特に限定されるものではなく、コップの安定性とデザイン性、使いやすさ等から好適な形状を決めればよい。また、後述する取っ手との関係から取っ手近傍の台座部は幅狭ないし小さくなっているか、取っ手と一体になっていることが望ましい。また、少なくとも取っ手の延びている方向に対して直角方向に突出たり、取っ手の延びている方向とは異なる方向に広がるようにしてコップを支持することが望ましい。
【００１４】
コップ本体横には、一対の取っ手が設けられている。この取っ手の下部は、通常のものより下方に延伸していて、その下端部がコップ本体の底部と概ね同位置にまで達し、通常の状態でテーブル、トレー、机などのコップ載置面に接するようになっている。これにより、上記台座部と一体としてコップ本体を支え、コップの安定性を飛躍的に向上させてコップが転倒するのを防止している。取っ手の形状としては、上記構造が可能なものであれば特に限定されるものではなく、通常のコップやカップの取っ手として用いられているものに即した形状とすればよい。ただし、幼児やお年寄り、障害者が使用することを考慮すると、これらのものが使いやすい大きさや形状とすることが望ましい。
【００１５】
コップ本体、台座部、取っ手を構成する材料は、特に限定されるものではなく、通常コップやカップに使用されている材料を用いればよい。例えば、ガラスや、塩化ビニール、ポリエチレンテレフタレート（ＰＥＴ）、ポリプロピレン（ＰＰ）、スチロール、シリコーン等の樹脂材料、陶磁器、ステンレス、黄銅、鉄およびこれらの合金等の金属材料を挙げることができる。これらは単独で用いてもよいし複数種類を組み合わせて用いてもよい。特に、乳幼児、障害者、老人などが使いやすい材質を選択して使用することが望ましい。コップの大きさも、通常用いられているコップの大きさに即して決めればよい。また、上述のように必要に応じて蓋や飲み口を設けて使い勝手を向上させてもよい。
【実施例１】
【００１６】
図１〜３は、本考案の第１の態様であるコップを示したもので、図１は斜視図、図２は正面図、図３は平面図である。図示例のコップ１は、断面Ｕ字状で上部が開口したコップ本体２と、コップ本体下部に形成された台座部５と、コップ本体２横に設けられた一対の取っ手３ａ，３ｂとを有する。コップ本体２は、外形、内形とも断面が太鼓状で、中央部が若干膨らんだ円筒形になっている。このような、太鼓状、上部に開口したＣ字状、あるいは台形状等も本考案の形状に含まれる。
【００１７】
コップ本体２の高さ約３／４の位置から生えた取っ手上部はコップ半径の約３／４程度横に延びた後やや外側に向かって下がり、そのままコップ本体底部６の位置まで達している。そして、そこからコップ載置面に沿ってコップ本体に向かっている。つまり、コ字状の取っ手がコップ本体に向かって取り付けられている。この取っ手はコップ本体２の円中心に対し回転対称位置に一対形成されている。
【００１８】
コップ本体下部には台座部５が形成されている。この台座部５は、図３に示されるように、変形した三角形ないしハート型をなし、フランジ状に突出してコップ本体下部から径方向に広がっている板状体である。この三角形ないしハート型のひとつの頂点となる凸部５ｂは、コップ本体２に対して取っ手３ａ,３ｂ植接部から１／４回転ずれた位置にあり、丁度取っ手３ａ，３ｂの直角方向に対する転倒を防ぐ位置に延びている。凸部５ｂの回転対称位置、つまりコップ円中心に対して反対側には、凹部５ａが形成され、コップ本体の大きさよりわずかに大きい程度の大きさで、その両脇に三角形ないしハート型の他の頂点となる２つの凸部５ｅ，５ｆが形成されている。つまり、凸部５ｂの反対側は凹部５ａの両脇の凸部が取っ手３ａ，３ｂの直角方向への転倒を防ぐようになっている。凸部５ｂと２つの凸部５ｅ，５ｆは直線状の縁部５ｃ，５ｄにより繋がっている。
【００１９】
台座部５と取っ手下部４ａ，４ｂとは、前記縁部５ｃ，５ｄ付近で繋がって一体になっている。このため、取っ手下部４ａ,４ｂは、台座部５と一体となってコップ載置面と接するので効果的にコップを支持して安定性を向上させることができる。
【００２０】
このように、２つの取っ手３ａ,３ｂと凸部５ｂおよび２つの凸部５ｅ，５ｆがコップ本体２の底部に対して十字状に広がり、コップがいずれの方向にも転倒し難い構造になっている。
【実施例２】
【００２１】
図４〜６は、本考案の第２の態様であるコップを示したもので、図４は斜視図、図５は正面図、図６は平面図である。図示例のコップ１１も、断面Ｕ字状で上部が開口したコップ本体１２と、コップ本体下部に形成された台座部１５と、コップ本体１２横に設けられた一対の取っ手１３ａ，１３ｂとを有する。コップ本体１２は、下が閉じた円筒形になっている。
【００２２】
コップ本体１２の高さ約３／４の位置から生えた取っ手上部は、コップ半径の約３／４程度横に延びた後、そこから下に向かって下がり、そのままコップ本体底部１６の位置まで達している。そして、そこからコップ載置面に沿ってコップ本体に向かっている。つまり、コ字状の取っ手がコップ本体１２に向かって取り付けられている。この取っ手１３ａ，１３ｂはコップ本体１２の円中心に対し回転対称位置に一対形成されている。
【００２３】
コップ本体下部には台座部１５が形成されている。この台座部１５は、図６に示されるように、丁度蝶の羽のように取っ手１３ａ，１３ｂの延伸する方向に対して直角方向にそれぞれ突出した一対の凸部１５ｅ，１５ｆまたは凸部１５ｇ,１５ｈを有する。また、コップ本体１２とは底部から少し高くなった位置で接合されていて、やや下方に向けてフランジ状に突出し、コップ本体から径方向に広がっている板状体である。そして、一対の凸部１５ｅ，１５ｆおよび凸部１５ｇ,１５ｈの先端付近がコップ載置面と接するようになっている。一対の凸部１５ｅ，１５ｆまたは凸部１５ｇ,１５ｈは、コップ本体１２に対して取っ手１３ａ,１３ｂ植接部から約１／４回転ずれた位置にあり、丁度取っ手１３ａ，１３ｂに対しての直角方向への転倒を防ぐ位置に延びている。一対の凸部１５ｅ，１５ｆ凸部一対の凸部１５ｇ,１５ｈとは回転対称位置、つまりコップ円中心に対して反対側に位置している。一対の凸部１５ｅ，１５ｆと一対の凸部１５ｇ,１５ｈは縁部１５ｃ，１５ｄにより繋がっている。
【００２４】
台座部１５と取っ手下部１４ａ，１４ｂとは、前記縁部１５ｃ，１５ｄで接合して一体になっている。このため、取っ手下部１４ａ,１４ｂは、台座部１５と接続するまでは肉厚部を形成してコップ載置面まで達し、帯状に面でコップ設置面と接している。そして、縁部１５ｃ，１５ｄと接合すると台座部１５と一体となってコップ載置面と接するので効果的にコップを支持して安定性を向上させることができる。
【００２５】
このように、２つの取っ手１３ａ,１３ｂと一対の凸部１５ｅ，１５ｆおよび一対の凸部１５ｇ,１５ｈがコップ本体１２の底部に対して十字状に広がり、コップがいずれの方向にも転倒しにくい構造になっている。
【実施例３】
【００２６】
図７〜１０は、本考案の第３の態様であるコップを示したもので、図７は斜視図、図８は正面図、図９は平面図、図１０は側面図である。図示例のコップ２１は、断面Ｖ字状で上部が開口したコップ本体２２と、コップ本体下部に形成された台座部２５と、コップ本体２２横に設けられた一対の取っ手２３ａ，２３ｂとを有する。コップ本体２２は、上方に開口した円錐形になっている。
【００２７】
コップ本体２２の高さ約３／４の位置から生えた取っ手上部は、コップ半径の約１／２程度横に延びた後、そこから下に向かって下がり、そのままコップ本体底部２６の位置まで達している。つまり、逆Ｌ字状の取っ手２３ａ，２３ｂがコップ本体２２に向かって取り付けられている。この取っ手２３ａ，２３ｂはコップ本体２２の円中心に対し回転対称位置に一対形成されている。
【００２８】
コップ本体下部には台座部２５が形成されている。この台座部２５は、図９に示されるように、楕円形で取っ手２３ａ，２３ｂの延伸する方向に対して直角方向にそれぞれ突出した凸部２５ａ，２５ｂを有する。また、コップ本体２２とは底部から少し高くなった位置で接合されていて、やや下方に向けてフランジ状にコップ本体から径方向に広がっている板状体である。そして、台座部２５の周縁部がコップ載置面と接するようになっている。凸部２５ａ，２５ｂは、コップ本体２２に対して取っ手２３ａ,２３ｂ植接部から約１／４回転ずれた位置にあり、丁度取っ手２３ａ，２３ｂに対しての直角方向への転倒を防ぐ位置に延びている。一方の凸部２５ａは他方の凸部２５ｂとは回転対称位置、つまりコップ円中心に対して反対側に位置している。凸部２５ａと凸部２５ｂはスカート状の対座部２５に窪みを形成している縁部２５ｃ，２５ｄにより繋がり楕円形となる。
【００２９】
台座部２５と取っ手下部２４ａ，２４ｂとは、それぞれがコップ載置面と接し、これらが一体となってコップを支持するので効果的にコップを支持して安定性を向上させることができる。
【００３０】
このように、２つの取っ手２３ａ，２３ｂと凸部２５ａおよび凸部２５ｂがコップ本体２２の底部に対して十字状に広がり、コップがいずれの方向にも転倒しにくい構造になっている。なお、上記第１および第２の態様に対し、第３の態様では取っ手下部２４ａ，２４ｂが１点でコップ載置面と接しているので、第１および第２の態様に比べるとコップを支持する効果が低下する。このため、この態様のコップはデザインを重視する場合や、発達の進んだ乳幼児、軽度の障害者等に適している。
【産業上の利用可能性】
【００３１】
本考案のコップは、乳幼児、老人、障害者などのコップの取り扱いが困難な者に適しているが、それ以外の一般の人でも好適に使用することができる。
【図面の簡単な説明】
【００３２】
【図１】本考案の第１の態様を示した斜視図である。
【図２】本考案の第１の態様を示した正面図である。
【図３】本考案の第１の態様を示した平面図である。
【図４】本考案の第２の態様を示した斜視図である。
【図５】本考案の第２の態様を示した正面図である。
【図６】本考案の第２の態様を示した平面図である。
【図７】本考案の第３の態様を示した斜視図である。
【図８】本考案の第３の態様を示した正面図である。
【図９】本考案の第３の態様を示した平面図である。
【図１０】本考案の第３の態様を示した側面図である。
【符号の説明】
【００３３】
１    コップ
２    コップ本体
３ａ，３ｂ    取っ手
４ａ，４ｂ    下端部
５    台座部
１１    コップ
１２    コップ本体
１３ａ，１３ｂ    取っ手
１４ａ，１４ｂ    下端部
１５    台座部
２１    コップ
２２    コップ本体
２３ａ，２３ｂ    取っ手
２４ａ，２４ｂ    下端部
２５    台座部
【図１】
0003134475.tif 000003
【図２】
0003134475.tif 000004
【図３】
0003134475.tif 000005
【図４】
0003134475.tif 000006
【図５】
0003134475.tif 000007
【図６】
0003134475.tif 000008
【図７】
0003134475.tif 000009
【図８】
0003134475.tif 000010
【図９】
0003134475.tif 000011
【図１０】
0003134475.tif 000012